(57)【要約】【課題】  本発明は、落下などの衝撃や回路基板に表示管を取り付ける時に、回路基板に取り付けられている表示管が回路基板側などに傾いて倒れたりすることを防止することが可能な耐衝撃性に優れた表示管を備えた電子機器を提供する。【解決手段】  各種電子部品４の実装された回路基板３に蛍光表示管１０が取り付けられ、これら蛍光表示管１０と回路基板３との間に、回路基板３の回路パターン６と回路を構成しないスイッチ２０を半田付けする。誤って落下などによって蛍光表示管１０に衝撃が与えられたり、或いは回路基板３に蛍光表示管１０を取り付ける際に外部から力が加えられたとしても、蛍光表示管１０を支持するスイッチ２０により、蛍光表示管１０を所定の取り付け位置から傾いて倒れたりすることがないように支持し、その衝撃を緩和することができるので耐衝撃性に優れる。【選択図】  図２
2006047371.tif 000002
【特許請求の範囲】
【請求項１】
回路基板に少なくとも表示管を実装する電子機器において、前記表示管はＬ型に屈曲した端子を備え、この端子を前記回路基板に接続して該表示管を前記回路基板と間隔をおいてほぼ平行に配置するとともに、前記表示管の背面に当接して該表示管を支持する電子部品を前記回路基板に接続し、かつ、この電子部品は前記回路基板に形成された回路パターンとは回路を構成しないように半田付けされていることを特徴とする表示管を備えた電子機器。
【請求項２】
前記電子部品は、弾発的に復帰する操作キーを有するスイッチであって、前記操作キーを前記表示管の背面に当接させたことを特徴とする請求項１に記載の表示管を備えた電子機器。
【請求項３】
前記電子部品は、前記回路基板に機械的に自動取り付けされる自動取付部品であることを特徴とする請求項１記載の表示管を備えた電子機器。
【発明の詳細な説明】
【技術分野】
【０００１】
本発明は、表示管を備えた電子機器に関し、特にこの電子機器の回路基板と表示管との間に表示管を支持する電子部品を設けることで、落下などに伴う外部からの衝撃や組み立て時に、表示管が基板側に倒れることを防止した表示管を備えた電子機器に関する。
【背景技術】
【０００２】
各種オーディオ機器、事務機器、通信機器、テレビジョン受像機、及びＤＶＤ機器などの電子機器には、例えば、これら各種機器の操作状態や作動状態などを表示するＶＦＤ（Ｖａｃｕｕｍ  Ｆｌｕｏｒｅｓｃｅｎｔ  Ｄｉｓｐｌａｙ）と呼ばれる表示管が備えられている。また、こうした電子機器にはその筐体内に各種電子部品の実装された平板状の回路基板が設けられており、表示管本体から回路基板側に突設して設けられている接続端子が回路基板に半田付けされ回路基板に表示管が取り付けられていたりするものであり、このような従来技術が、特許文献１や特許文献２などには開示されている。例えば、特許文献１においては、配線基板に接続端子に半田付けされた表示管を支持するために、表示管を支持体間に挟み付け倒れないように支持する表示管の取付構造が開示されている。また、特許文献２には、基板上に蛍光表示管を基板に対して斜めに立てた状態で取り付けられた蛍光表示管の基板への取付構造が開示されているが、この特許文献２では、基板に対して蛍光表示管を斜めに立てた状態で取り付けられているので、その取り付け強度を確保するために、基板に立設された支持部材と、フロントキャビネットから突き出された水平支持部とにより蛍光表示管を固定している。
【０００３】
また、特許文献３においては、基板であるプリント板に複数の電子部品を実装させ、これら電子部品の内、外部からの衝撃から保護したいメモリなどの衝撃に強いとは言えない電子部品の高さ寸法より高い寸法の電子部品をプリント板に実装させ、高さの高い寸法の電子部品がプリント板の回路に電気的に接続されていないダミー部品として配置され、このダミー部品によりメモリなどの電子部品を外部からの衝撃から保護するといったものが開示されており、特許文献４には、蛍光表示管を載置する基板に設けられたホルダーの載置面に舌状片を設け、その先端に載置面より突出する押圧突起を設け、ホルダーの載置面に蛍光表示管を載せ、カバーで蛍光表示管を押圧した状態で基板にカバーを固定した際、蛍光表示管は、押圧突起によりカバーとホルダーの載置面との間に弾性的に保持されるものが開示されている。
【０００４】
【特許文献１】登録実用新案第３０７２２６６号公報
【特許文献２】登録実用新案第３０８６３３２号公報
【特許文献３】特開２００３−３１８５０５号公報
【特許文献４】特開２００１−３４１９１号公報
【発明の開示】
【発明が解決しようとする課題】
【０００５】
しかし、上述した背景技術における特許文献１および特許文献２では、表示管本体に設けられている突設された接続端子が回路基板に半田付けされ、回路基板に表示管が取り付けられた状態において、いずれにおいても回路基板に半田付けされた表示管を支持するために、それ専用の取付構造や部材が設けられているので、安定させた状態で表示管を支持させることはできるものではあるが、安定させた状態で表示管を取り付けるための各種取付部材を予め設けなくてはならないことから、取り付けのための部品点数が多くなると共にこれに伴う取り付け箇所も多くなり、結果的にその取り付け作業に時間がかかることで、その製造コストが高くなるといった欠点があった。
【０００６】
また、特許文献３には、回路基板たるプリント板に実装された電子部品を落下などの衝撃から保護することを目的として、電気的に配線されていないダミーチップ部品を、破損しないように保護したいメモリの周囲を取り囲むように配置するものが開示されている。しかし、落下等の原因により衝撃が加わった際、単に、保護したいメモリの周囲をこのメモリより高い寸法のダミーチップ部品により取り囲むのみでは、落下時に、メモリが床に直接接触することは回避できるが、プリント板に破損したダミーチップ部品を取り付けて機器に内蔵するとなると、そのダミーチップ部品が短絡などの原因にもなりかねず、一方、プリント板に取り付けられているダミーチップをプリント板から取り外すとなれば、その取り外し作業に時間がかかり、結果的には、その作業が煩わしくコスト的にも割高になると共に生産性に優れているといえるものではなかった。
【０００７】
また、特許文献４には、蛍光表示管がその周囲の部材に接触して発生するラットルノイズを防止するために、蛍光表示管を基板に設けられたホルダーに載置させ、このホルダーと蛍光表示管との間に弾性を有する弾性突出部を設け蛍光表示管が周囲の部材に衝突した際の衝撃を緩和させる表示装置が開示されており、基板とホルダーとの間に弾性突出部を設けることによりラットルノイズを防止することは可能と思われるが、弾性突出部は、極めて僅かにホルダーの載置面から突出されているので、外部から表示装置に衝撃が与えられた際にその衝撃を弾性突出部により緩和するには好ましいものではなかった。
【０００８】
本発明は、上記課題を鑑みてなされたものであり、落下などの衝撃や電子機器内に表示管を取り付ける時に、電子機器の回路基板に取り付けられている表示管が回路基板側などに傾いて倒れたりすることを防止することが可能な耐衝撃性に優れた表示管を備えた電子機器を提供することをその目的とする。
【課題を解決するための手段】
【０００９】
本発明の請求項１の表示管を備えた電子機器は、回路基板に少なくとも表示管を実装する電子機器において、前記表示管はＬ型に屈曲した端子を備え、この端子を前記回路基板に接続して該表示管を前記回路基板と間隔をおいてほぼ平行に配置するとともに、前記表示管の背面に当接して該表示管を支持する電子部品を前記回路基板に接続し、かつ、この電子部品は前記回路基板に形成された回路パターンとは回路を構成しないように半田付けされていることを特徴とする。
【００１０】
請求項１の構成により、表示管を支持する電子部品は、汎用性があると共に量産されている安価な電子部品であり、このような電子部品は回路基板に簡単に半田付けして取り付けることができるので汎用性に優れると共に低コスト化を図ることができる。しかも、電子部品によって表示管が支持されているため、例えば、誤って落下などによって表示管に衝撃が与えられたり、或いは回路基板に表示管を取り付ける際に外部から力が加えられたとしても、回路パターンとは回路を構成しない電子部品により、表示管を所定の取り付け位置から傾いて倒れたりすることがなく、耐衝撃性に優れる。
【００１１】
本発明の請求項２の表示管を備えた電子機器は、請求項１に記載の表示管を備えた電子機器において、前記電子部品は、弾発的に復帰する操作キーを有するスイッチであって、前記操作キーを前記表示管の背面に当接させたことを特徴とする。
【００１２】
請求項２の構成により、スイッチに備えられている押圧すると後退し放すと同時に元の形態に復元する操作キーを回路基板に取り付けられた表示管に当接させて回路基板に取り付けられている時、落下などにより表示管に衝撃が与えられたり、或いは回路基板に表示管を取り付ける際に外部から表示管に比較的強い力が加えられた際、表示管に加わった衝撃や外力などを、表示管に当接されると共に回路基板に取り付けられているスイッチに備えられている操作キーが、表示管から押圧され後退することによって、その衝撃を吸収して緩和するので、耐衝撃性が得られる。
【００１３】
本発明の請求項３の表示管を備えた電子機器は、請求項１記載の表示管を備えた電子機器において、前記電子部品は、前記回路基板に機械的に自動取り付けされる自動取付部品であることを特徴とする。
【００１４】
請求項３の構成により、電子部品を、回路基板に自動的に取り付け可能な自動取付部品としたので、電子部品の取り付け作業を手作業で行うことなくロボットなどの自動生産手段により、自動取り付けすることができるので、人手による取付作業工程を減らすことが可能となる。
【発明の効果】
【００１５】
請求項１の表示管を備えた電子機器によれば、回路基板に少なくとも表示管を実装する電子機器において、前記表示管はＬ型に屈曲した端子を備え、この端子を前記回路基板に接続して該表示管を前記回路基板と間隔をおいてほぼ平行に配置するとともに、前記表示管の背面に当接して該表示管を支持する電子部品を前記回路基板に接続し、かつ、この電子部品は前記回路基板に形成された回路パターンとは回路を構成しないように半田付けされているものであり、表示管を支持する部材として、汎用性があると共に量産されている安価な電子部品を用いることで汎用性に優れ且つ低コスト化を図ることができ、さらに、誤って落下などによって表示管に衝撃が与えられたり、或いは回路基板に表示管を取り付ける際に外部から力が加えられたとしても、回路パターンとは回路を構成しない電子部品により、表示管を所定の取り付け位置から傾いて倒れたりすることがないように支持されているので耐衝撃性に優れた故障の少ない信頼性を向上させた電子機器を提供することができる。
【００１６】
本発明の請求項２の表示管を備えた電子機器によれば、請求項１に記載の表示管を備えた電子機器において、前記電子部品は、弾発的に復帰する操作キーを有するスイッチであって、前記操作キーを前記表示管の背面に当接させたものであるから、落下などにより表示管に衝撃が与えられたり、或いは回路基板に表示管を取り付ける際に外部から表示管に比較的強い力が加えられたとしても、その衝撃をスイッチの操作キーが後退されることによって、表示管への衝撃を吸収して緩和するので耐衝撃性が得られる。これにより、破損を回避することができる電子機器を提供することができる。
【００１７】
本発明の請求項３の表示管を備えた電子機器によれば、請求項１記載の表示管を備えた電子機器において、前記電子部品は、前記回路基板に機械的に自動取り付けされる自動取付部品であるから、自動取付部品の取り付け作業を手作業で行うことなくロボットなどの自動生産手段により自動取り付けすることができ、手作業の取付作業工程を減らすことができるので、取り付け作業時間を短縮した生産性を向上させた電子機器を提供することができる。
【発明を実施するための最良の形態】
【００１８】
以下、本発明を実施するための最良の形態としての実施例を図１〜図５により以下に説明する。もちろん、本発明は、その発明の趣旨に反しない範囲で、実施例において説明した以外の構成のものに対しても容易に適用可能なことは説明を要するまでもない。
【００１９】
図１は本実施例の一例における電子機器に備えられた表示装置を示す正面図であり、図２はその断面図である。
【００２０】
図１および図２に示すように、電子機器１内に設けられた表示装置２は、電子機器１内にネジ止め固定された回路基板３に固定されているものであり、この平板状の回路基板３の実装面３Ａには、抵抗、コンデンサーといった各種電子部品４が配置され、これら各種電子部品４には、各々に接続端子４Ａが一体的に設けられていて、回路基板３の実装面３Ａの反対側の裏面３Ｂには回路パターン６が設けられており、この回路パターン６に形成されている挿通孔５に接続端子４Ａが挿通され、各種電子部品４が前記回路パターン６に半田付けにより電気的に接続され固定されている。例えば、前記回路パターン６は、陽極ライン６Ａと陰極ライン６Ｂなどを含み、この陽極ライン６Ａと陰極ライン６Ｂとに電子部品４の端子４Ａを半田付けすることによって、回路パターン６と電子部品４とが電気的に接続される。
【００２１】
１０は、電子機器の操作状態や作動状態などを表示する蛍光表示管でありこの蛍光表示管１０について説明すると、この蛍光表示管１０は、ＶＦＤ（Ｖａｃｕｕｍ  Ｆｌｕｏｒｅｓｃｅｎｔ  Ｄｉｓｐｌａｙ）と称される表示素子であり、真空管とはその形状が異なる平型管である。この蛍光表示管１０には、操作状況などが表示される表示部１１が設けられ、その表示部１１自体が自発光されるようになっている。
【００２２】
また、この蛍光表示管１０には、図１に示すように、蛍光表示管１０の表示部１１の設けられている側の反対側に突設された複数のＬ型の端子１２が設けられていて、これらの端子１２が、図２に示すように、回路基板３に形成された孔部１３を介して回路基板３の裏面３Ｂに設けられた回路パターン６に半田付けされ固定されている。すなわち、蛍光表示管１０の矩形の本体１０Ａは、図２に示すように、Ｌ型の端子１２によって片持状に支持された状態で回路基板３と離間して平行に配置され、その蛍光表示管１０の矩形の本体１０Ａと回路基板３との間の長さ寸法Ｌは約５．２ｍｍとなっており、この回路基板３と蛍光表示管１０の本体１０Ａとの間には、前記回路パターン６とは回路を構成しないダミーの電子部品としてスイッチ２０が配置されている。なお、このスイッチ２０は、端子２２を除いたスイッチ本体２０Ａの高さ寸法Ｈが５．０ｍｍとなっており、前述した蛍光表示管１０の本体１０Ａと回路基板３とにスイッチ本体２０Ａの上下部が当接して蛍光表示管１０を背面側から支持している。また、蛍光表示管１０とスイッチ２０との電気的なトラブルを回避するために、図４（ａ）に示すように、スイッチ２０の端子２２が回路パターン６と独立したダミーパターン６Ｃに半田付けにより固定され、スイッチ２０と蛍光表示管１０とが前記回路パターン６とは回路を構成していない状態となっている。なお、スイッチ２０と蛍光表示管１０とが回路を構成しない方法として、図４（ｂ）に示すように、スイッチ２０の全ての端子２２を回路パターン６の陽極ライン６Ａから一体的に延出した増設パターン６Ｄに半田付けしたり、図４（ｃ）に示すように、スイッチ２０の一部の端子２２を回路パターン６の陽極ライン６Ａに半田付けし、残った端子２２を回路パターン６と独立したダミーパターン６Ｃに半田付けするようにしてもよく、要はダミーの電子部品として実装されるスイッチ２０が、単に、回路パターン６と回路を構成しない状態であればよい。このようにして、回路パターン６と回路を構成しない状態であるスイッチ２０により蛍光表示管１０が支持されている。また、図２および図３に示すように、スイッチ２０にはその上部側（図２においては右側）に、操作キー２１が一体的に設けられていて、この操作キー２１は、その上部から押圧すると後退され放すと同時に元の形態に復元する、つまり弾性を有し且つ弾発的に復帰するものであり、例えば、床などに誤って落下などさせた際に電子機器１内の蛍光表示管１０に衝撃が与えられたり、或いは電子機器１内にネジ止めされている回路基板３に蛍光表示管を取り付ける作業を行う際、蛍光表示管１０に外部などから比較的強い力が加えられたとしても、弾性を有する操作キー２１がその衝撃を吸収して緩和するようになっている。なお、前記スイッチ２０は、量産され安価ものを適宜選択して使用することによりコストを低減することができる。
【００２３】
また、変形例としてスイッチ２０に代えて図４に示す電解コンデンサ３０や図示しないコネクタを用いても良い。これらの場合、前記スイッチ２０のように弾性を有するものではなくても、量産され汎用性がある安価な電子部品を回路基板３に簡単に半田付けして取り付けることで、蛍光表示管１を支持する部品として用いることができる。このように、回路パターン６とは回路を構成しない、すなわち、いわゆるダミー部品として電解コンデンサ３０やコネクタなどといった部品を、単に蛍光表示管１０を支持する部品として使用することにより、大量に量産されていない高価な専用部品を蛍光表示管１０を支持するだけに使用するよりもむしろ、安価な電解コンデンサ３０やコネクタなどを有効的に利用することで、結果的には安価な電子機器１を提供することができる。
【００２４】
また、上述したスイッチ２０、電解コンデンサ３０、およびコネクタなどの回路パターンとは回路を構成しない電子部品は、端子２２，２２Ａが一体的に設けられており、端子２２，２２Ａが回路基板３に半田付けなどにより取り付けられるようになっており、何れにおいても一般的な電子機器の回路基板に自動的に取り付けられる自動取付部品であることから、図示しないロボットなどの人手に頼らない自動生産手段により、回路パターンとは回路を構成しない部品を、回路基板３に手作業ではなく自動的に取り付けを行うことが可能であり、自動生産手段を有効的に活用することが可能であるので、自動生産手段を使用することにより、人手による取付作業工程を極力減らすことができる。
【００２５】
以上のように上記電子機器１によれば、表示管たる蛍光表示管１０を備えた電子機器１は、各種電子部品４の実装された回路基板３に蛍光表示管１０が取り付けられた電子機器１であって、前記蛍光表示管１０の背面に当接して該表示管１０を支持するダミーのスイッチ２０、電解コンデンサ３０、又はコネクタなどの電子部品を、蛍光表示管１０に当接させ、かつ、その電子部品が、前記回路基板３に形成された回路パターン６とは回路を構成しないように半田付けされているものである。これにより、これらスイッチ２０などの電子部品は、汎用性があると共に量産されている安価な電子部品であり、このような電子部品は回路基板３に簡単に半田付けして取り付けることができるので汎用性に優れると共に低コスト化を図ることができる。さらに、このような回路パターン６とは回路を構成しないダミーの電子部品を回路基板３に取り付けられた蛍光表示管１０に当接させて回路基板３に取り付けた際には、例えば、誤って落下などによって蛍光表示管１０に衝撃が与えられたり、或いは回路基板３に蛍光表示管１０を取り付ける際に外部から力が加えられたとしても、回路基板３の回路パターン６とは回路を構成しないスイッチ２０、電解コンデンサ３０、又はコネクタなどの電子部品により、蛍光表示管１０を所定の取り付け位置から傾いて倒れたりすることがないように支持することができるので、確実に蛍光表示管１０を保持でき耐衝撃性に優れた故障の少ない信頼性を向上させた電子機器１を提供することができる。しかも、スイッチ２０などの電子部品は、回路基板３に機械的に自動取り付け可能な自動取付部品としたので、スイッチ２０などの電子部品の取り付け作業を手作業で行うことなくロボットなどの自動生産手段により、自動取り付けすることができるので、手作業による取付作業工程を減らすことが可能となるので、取り付け作業時間を短縮した生産性を向上させた安価な電子機器１を提供することができる。さらに、ダミーの電子部品として用いるスイッチ２０は、上述したように押圧すると後退し放すと同時に元の形態に復元する弾性を有する操作キーを備えているから、スイッチ２０を押圧すると後退し放すと同時に元の形態に復元する操作キー２１を回路基板３に取り付けられた蛍光表示管１０に当接させて回路基板３に取り付けられている時、落下などにより蛍光表示管１０に衝撃が与えられたり、或いは回路基板３に蛍光表示管１０を取り付ける際に外部から蛍光表示管１０に比較的強い力が加えられた際に、このような蛍光表示管１０に加わった衝撃や外力などを、蛍光表示管１０に当接されると共に回路基板３に取り付けられているスイッチ２０の操作キー２０Ａが、表示管から押圧され後退することによって、その衝撃を吸収して緩和するので耐衝撃性が得られる。これにより、破損を回避することができる電子機器１を提供することができる。さらに、電子機器１の自動取付部品は、電解コンデンサ３０、スイッチ２０、又はコネクタなどであるから、自動取付部品として汎用性があると共に量産されている相対的にみて安価な電子部品である電解コンデンサ３０、スイッチ２０、及びコネクタなどを用いることによりコストを軽減することができるので、結果的に安価な電子機器１を提供することができる。さらに、蛍光表示管１０を支持するダミーのスイッチ２０、電解コンデンサ３０、あるいはコネクタは回路基板３に形成する回路パターン６とは回路を構成しない状態で回路基板３に対して半田付けにて固定されているから、蛍光表示管１０と、これを支持するダミーのスイッチ２０、電解コンデンサ３０、あるいはコネクタとの短絡事故といった電気的なトラブルと確実に防止することができる。
【図面の簡単な説明】
【００２６】
【図１】本発明の表示管を備えた電子機器の構成を示す正面図である。
【図２】同上、表示管を備えた電子機器の要部を示す断面図である。
【図３】同上、電子機器内の回路基板に固定されるスイッチを示す斜視図である。
【図４】同上、回路パターンとスイッチとの接続状態を示す平面図であり、図４（ａ）は、ダミーパターンにスイッチを接続した平面図、図４（ｂ）は、一方の電極ラインにスイッチを接続した平面図、図４（ｃ）は、回路パターンとダミーパターンにスイッチを接続した平面図である。
【図５】本実施例の変形例である電子機器内の回路基板に固定される電解コンデンサを示す斜視図である。
【符号の説明】
【００２７】
１  電子機器
３  回路基板
６  回路パターン
１０  蛍光表示管（表示管）
２０  スイッチ（電子部品）
２１  操作キー
【図１】
2006047371.tif 000003
【図２】
2006047371.tif 000004
【図３】
2006047371.tif 000005
【図４】
2006047371.tif 000006
【図５】
2006047371.tif 000007